(57)【要約】【課題】  専用のロールホルダーを使用することなく、使用単位毎に易切断線が入れられロール状に巻き取られたプラスチック製連続袋を収納し、ロール状連続袋の切断案内製を切断しながら、プラスチック袋を一枚ずつ取り出すことが可能なロール状連続袋の収納容器を提供すること。【解決手段】  ロール状連続袋２の箱状収納容器１の蓋面１５に略「コ」の字状の切断案内線Ｌと、背面１２に少なくとも手指が入る大きさの切断案内線Ｍを設けることにより、容易にしかも多くのプラスチック袋を使用することができる。【選択図】  図１
2005200064.tif 000002
【特許請求の範囲】
【請求項１】
使用単位毎に易切断線が入れられロール状に巻き取られたプラスチック製連続袋２を収納する前面１１、背面１２、両側面１３、１４、底面及び蓋面１５を有する箱状容器であって、
当該容器の背面１２の上部稜線Ｂに連続して、開閉可能な蓋面１５と、それに続く折り込んだ際に前面１１の内側に重なり合う折込面１６が設られており、
蓋面１５と折込面１６の境界線Ａ上の点ａを始点として境界線Ａ上の点ｂまで蓋面１５上に、略「コ」の字を描き、境界線Ａに対向する辺Ｃが境界線Ａに平行に対向するように切断案内線Ｌが設けられており、
点ａ及び点ｂは境界線Ａの中央から等距離となるように位置し、且つ点ａ、点ｂ間の距離が境界線Ａの長さの０．５〜０．９倍であり、
当該容器の背面１２に少なくとも手指の先端に相当する大きさで略Ｕ字状を描くように切断案内線Ｍが設けられていることを特徴とするロール状連続袋２の収納容器１。
【請求項２】
切断案内線Ｌの境界線Ａに対向する辺Ｃが、境界線Ａ上の点ａと点ｂを結ぶを直線よりも長くなるように設けられていることを特徴とする請求項１記載のロール状連続袋２の収納容器１。
【請求項３】
箱状容器の前面１１の上端部の一部又は全部に切断刃１７が設けられていることを特徴とする請求項１または請求項２記載のロール状連続袋２の収納容器１。
【発明の詳細な説明】
【技術分野】
【０００１】
本発明は、使用単位毎に易切断線が入れられロール状に巻き取られたプラスチック製連続袋を収納し、ロール状連続袋を一枚ずつ切断しながら取り出すことが可能なロール状連続袋の収納容器に関する。
【背景技術】
【０００２】
一般に家庭などで使用されるプラスチック袋は、複数枚、例えば１０〜３０枚を平積みにしてプラスチック製の外装袋に収納されて販売されている。さらにサイズの大きなプラスチック袋は、適宜折り畳んだ後に外装袋に収納して販売されている。その場合は、プラスチック袋を折り畳む分だけ厚みが嵩張り、一つの外装袋に収納可能なプラスチック袋の枚数は少なくなる。
少量のプラスチック袋しか使用しない場合には、上記の方法で収納された包装袋を使用しても問題ないが、使用量が多い場合には使用量に応じてプラスチック袋の包装体を用意しなければならないし、プラスチック袋を使用した後には多くの外装袋がゴミとなってしまうという問題もあった。一方、スーパーマーケットなど多量にプラスチック袋を使用する現場では、業務用として使用単位毎に易切断線が入れられロール状に巻き取られたロール状連続袋が使用されている。しかし、スーパーマーケットなどで使用されるロール状連続袋は１０００〜２０００枚と大量の枚数であるため、家庭で使用するには枚数が多く、重量も重いので扱い難い。またロール状連続袋を使用するためには専用ホルダーを使用する必要があり、しかもこのホルダーは大きすぎて一般家庭で使用するには不向きである。
【０００３】
そこで、専用ホルダーなどの特別な器具を使用することなく、「ロール状連続袋を収納し、使用単位毎に破断して使用することに適するように、上面が開口された容器本体と、これと一体に形成された前垂れ辺を有する蓋体とからなり、本体前面片の上端中央部に上向きに突出するカッターが形成されたロール巻き連続袋の容器」が提案されている（特許文献１）。また、「連続袋が巻取軸を中心にして回転可能な大きさに形成した箱状容器に、巻取軸と平行な容器の壁面の略中央に、袋が収束状態において挿通可能な程度の穴を形成すると共に、この穴の内周側に、ゴム系又は合成樹脂系の摩擦部材を取り付けていることを特徴とする連続底の切取り容器」が提案されている（特許文献２）。
【特許文献１】実開昭６３−１１３２８号公報
【特許文献２】実開平６−６７３１９号公報
【発明の開示】
【発明が解決しようとする課題】
【０００４】
使用単位毎に易切断線が入れられロール状に巻き取られたプラスチック製連続袋を収納し、ロール状連続袋の易切断線を切断しながら、プラスチック袋を一枚ずつ取り出すことが可能なロール状連続袋の収納容器を提供すること。
【課題を解決するための手段】
【０００５】
本発明者らは鋭意検討を行った結果、箱状容器１の蓋面１５に略「コ」の字を描くように切断案内線Ｌと、背面１２に少なくとも手指の先端に相当する大きさの略Ｕ字状を描くように切断案内線Ｍとを設けることによって上記課題が解決されることを見だし本発明に至った。即ち、本発明は、
（１）使用単位毎に易切断線が入れられロール状に巻き取られたプラスチック製連続袋２を収納する前面１１、背面１２、両側面１３、１４、底面及び蓋面１５を有する箱状容器であって、
当該容器の背面１２の上部稜線Ｂに連続して、開閉可能な蓋面１５と、それに続く折り込んだ際に前面１１の内側に重なり合う折込面１６が設られており、
蓋面１５と折込面１６の境界線Ａ上の点ａを始点として境界線Ａ上の点ｂまで蓋面１５上に、略「コ」の字を描き、境界線Ａに対向する辺Ｃが境界線Ａに平行に対向するように切断案内線Ｌが設けられており、
点ａ及び点ｂは境界線Ａの中央から等距離となるように位置し、且つ点ａ、点ｂ間の距離が境界線Ａの長さの０．５〜０．９倍であり、
当該容器の背面１２に少なくとも手指の先端に相当する大きさで略Ｕ字状を描くように切断案内線Ｍが設けられていることを特徴とするロール状連続袋２の収納容器１が提供され、
（２）切断案内線Ｌの境界線Ａに対向する辺Ｃが、境界線Ａ上の点ａと点ｂを結ぶを直線よりも長くなるように設けられていることを特徴とする（１）記載のロール状連続袋２の収納容器１が提供され、
（３）箱状容器１の前面１１の上端部の一部又は全部に切断刃１７が設けられていることを特徴とする（１）または（２）記載のロール状連続袋２の収納容器１が提供される。
【発明の効果】
【０００６】
本発明のロール状連続袋２の収納容器１を使用すれば、収納されたロール状連続袋２を取り出した後に連続袋２の端部が収納容器の蓋面上に位置しているので、次にプラスチック袋を取り出す際にすぐに端部を見つけることができ、連続袋２の易切断線を切断しながらプラスチック袋を一枚ずつ容易に取り出せる。また、プラスチック袋の取り出しに伴い、収納容器１が破損することがない。
【発明を実施するための最良の形態】
【０００７】
本発明の収納容器１は、ロール状連続袋２を収納する紙製の箱状容器であって、前面１１、背面１２、両側面１３、１４、底面及び蓋面１５を有した箱状容器であり、当該容器１の背面１２の上部稜線に連続して、開閉可能な蓋面１５と、それに続く前面１１に重なり合う折込面１６が設られている。
【０００８】
切断案内線Ｌは、蓋面１５と折込面１６の境界線Ａ上の点ａを始点として境界線Ａ上の点ｂまで蓋面１５上に、略「コ」の字を描き、境界線Ａに対向する辺Ｃが境界線Ａに平行に対向するように設けられなければならない。略「コ」の字に設けられた切断案内線Ｌのうちの境界線Ａに対向する辺Ｃの中央部付近に、背面１２と蓋面１５との稜線Ｂに向かって略半円形の凸部が存在しても良い。
【０００９】
切断案内線Ｌを切断することで略四角形状をした舌状部１８が形成され、収納されたロール状連続袋２が切断案内線Ｌの境界線Ａに対向する辺Ｃに相当する箇所から境界線Ａに向かって、舌状部１８の上面に沿って引き出されることになる。そのため、連続袋２を切断した後の端部が舌状部１８の上部に位置しているため、次に連続袋２を取り出す際に容易に端部を発見できる。
【００１０】
ロール状連続袋２を切断する時には、通常、連続袋２の易切断線の側端部が収納容器１の切断案内線Ｌの点ａ又は点ｂ近辺に位置するまで連続袋２を引き出し、斜め下方向に引っ張って連続袋２の易切断線の一方の端部から切断することとなる。そのため、切断案内線Ｌの点ａ及び点ｂには斜め下向きの力が加わるが、境界線Ａ上の二点を始点及び終点とすることで、連続袋２を切断する際の力が点ａ或いは点ｂだけでなく前面１１の上端部にも加わり、さらに、前面１１の上端部が切断刃の役割を果たし、点ａ或いは点ｂから収納容器１が破損することはない。
【００１１】
境界線Ａ上の点ａと点ｂは、境界線Ａの中央から等距離となるよう、つまり切断案内線Ｌは蓋面の長手方向に対して中央に位置するように設けられなければならない。切断案内線Ｌが一方の側面側に偏っていると、連続袋２を引き出す際にロールが一方に移動しようとするので好ましくない。
さらに、点ａ、点ｂ間の距離は境界線Ａの長さの０．５〜０．９倍である。０．５倍よりも短いと、引き出される連続袋２の幅が急激に狭くなり、点ａ及び点ｂに多大な力が加わることになるので好ましくない。一方、０．９倍よりも長いと、蓋面１５の強度が低下して好ましくない。
【００１２】
また、切断案内線Ｌは、境界線Ａに対向する辺Ｃが、境界線Ａ上の点ａと点ｂを結ぶを直線よりも長くなるように設けられることが好ましい。辺Ｃの長さを境界線Ａ上の点ａと点ｂを結ぶを直線よりも長くすることで、連続袋２の幅、辺Ｃの長さ、点ａから点ｂの距離の順に長さが短くなり、連続袋２を引き出す際に辺Ｃの両端部分、点ａ及び点ｂに必要以上の力が集中しなくなり収納容器１が破損しない。
【００１３】
収納容器１の背面１２に少なくとも手指の先端に相当する大きさで略Ｕ字状を描くように切断案内線Ｍが設けられている。切断案内線Ｍは手指の先端よりも若干大きめに略Ｕ字状を描くように設けられるのが好ましい。切断案内線Ｍは背面１２であればどこに設けられても良いが、背面１２の中央部に設けられるのが好ましい。また、頂点が稜線Ｂに隣接するよう設けられた略Ｕ字状であることが好ましい。
連続袋２の易切断線を切断する際に、背面１２に設けられた切断案内線Ｍを切断し、切断部分を収納容器１内に押し込んで切断部分越しに手指で連続袋２のロールを押さえると、ロールが回転しないように保持することが可能になるので、連続袋２の易切断線が容易に切断できる。
【００１４】
収納容器１の前面１１の上端部の一部又は全部に切断刃１７が設けられることが好ましい。また、切断刃１７の上端が蓋面１５よりも突出するように設けられることが好ましい。より好ましくは、前面１１の上端部であって、前面１１と折込部１６が重なり合った状態で境界線Ａ上の点ａから点ｂの間に相当する箇所に連続して切断刃１７が設けられている。さらに好ましくは、前面１１の上端部であって、前面１１と折込部１６が重なり合った状態で境界線Ａ上の点ａ及び／又は点ｂに相当する箇所から上端部の中央部に向かって適宜間隔で点ａから点ｂ間に相当する箇所の一部に切断刃１７が設けられている。
【００１５】
前面１１の上端に切断刃１７が設けることにより、切断刃１７をきっかけにして連続袋２の切断が容易に行えるのみならず、切断刃１７の上端が蓋面１５よりも突出していることから、連続袋２切断時に斜めに引っ張る際の力が切断刃１７上端に集中し、境界線Ａ上の点ａ又は点ｂにはほとんど力が加わらないので、より一層、収納容器１は破損し難くなる。
【００１６】
本発明の収納容器１には使用単位毎に易切断線が入れられロール状に巻き取られたロール状連続袋２が収納されている。ロール状連続袋２の大きさは特に限定されないが、１０００〜２０００枚のプラスチック袋が巻き取られている連続袋２では重くなり過ぎて片手で収納容器１を保持しもう一方の手で連続袋２を切断することが困難になる。そこで、片手で収納容器１を保持可能な重さで、一度に連続して多くのプラスチック袋が使用できるように、１００〜５００枚のプラスチック袋が易切断線を介して連なっているロール状連続袋２を使用することが好ましい。
【実施例】
【００１７】
以下、図を示しながら本発明の実施例を説明する。
図１は本発明の収納容器１の一例を示す斜視図である。
蓋面１５上に境界線Ａ上の点ａを始点として点ｂまで、境界線Ａに対向する辺Ｃが、境界線Ａに平行に対向し、境界線Ａ上の点ａと点ｂを結ぶを直線よりも長くなるように切断案内線Ｌが設けられ、さらに辺Ｃの中央には稜線Ｂに向かって半円形の凸部が設けられている。
【００１８】
図２は図１の収納容器１の展開図である。
背面１２の中央部に、頂点が稜線Ｂに隣接するように略Ｕ字状に切断案内線Ｍが設けられている。また、前面１１の上端部の一部には、前面１１と折込部１６が重なり合った状態で点ｂに相当する箇所から境界線の中央部に向かって切断刃１７が設けられている。
【００１９】
図３はロール状連続袋２を収納した際の、図２のＸ−Ｘ’間に相当する箇所の収納容器１の略断面図である。
ロール状連続袋２が収納容器１に収納されており、連続袋２は舌状部１８の上面に沿って箱状容器１の外に引き出されている。連続袋２が背面１２側から蓋面１５側に向かい、舌上部１８の上面に沿って箱状容器１の外に引き出されるように、ロール状連続袋２が収納されることが好ましい。連続袋２が前面１２側から蓋面１５側に向かい舌上部１８の上面に沿うように収納されていると、辺Ｃで連続袋２が鋭角に折れ曲がりスムーズに引き出せないので好ましくない。
【産業上の利用可能性】
【００２０】
本発明の収納容器１にロール状連続袋２を収納することにより、専用のロールホルダーを使用しなくても、連続袋２の易切断線の切断が容易に行え、更に一度に多くのプラスチック袋を使用することが可能となる。
【図面の簡単な説明】
【００２１】
【図１】本発明の収納容器１の一例を示す斜視図である。
【図２】図１の収納容器１の展開図である。
【図３】ロール状連続袋２を収納した際の、図２のＸ−Ｘ’間のに相当する箇所の収納容器１の略断面図である。
【符号の説明】
【００２２】
１      収納容器
２      連続袋
１１    前面
１２    背面
１３    側面
１４    側面
１５    蓋面
１６    折込面
１７    切断刃
１８    舌上部
Ａ      蓋面と折込部の境界線
Ｂ      背面の上部の稜線
Ｃ      境界線Ａに対向する辺
Ｌ      蓋面１５の切断案内線
Ｍ      背面１２の切断案内線
ａ      境界線Ａ上の点
ｂ      境界線Ａ上の点
【図１】
2005200064.tif 000003
【図２】
2005200064.tif 000004
【図３】
2005200064.tif 000005